(57)【要約】【課題】メンテナンス性が向上し、部品点数を省略し、且つ軽量化が実現出来、安価な内器着脱機構を実現する。【解決手段】ケースと内器との間に設けられ内器がケースに係止される係止機構を具備する内器着脱機構において、ケースの両側面にそれぞれ一端が接続されケースの内器挿入開口側が自由端となる２個の係止レバーと、前記自由端側に対応して前記ケースの両側にそれぞれ設けられた乗越え固定凸部と、前記係止レバーの途中に設けられた係止機構の一方と、前記係止レバーの自由端側にそれぞれ設けられ前記係止時には前記乗越え固定凸部のケース内側側に配置保持され内器をケースからはずす場合には前記乗越え固定凸部を乗越えてケース外側側に接して配置保持され前記係止機構の係止を解除する乗越え移動凸部とを具備したことを特徴とする。【選択図】図１
2010073917.tif 000002
【特許請求の範囲】
【請求項１】
ケースと内器との間に設けられ、内器がケースに係止される係止機構を具備する内器着脱機構において、
ケースの両側面にそれぞれ一端が接続されケースの内器挿入開口側が自由端となる２個の係止レバーと、
前記係止レバーの自由端側に対応して前記ケースの両側面にそれぞれ設けられた乗越え固定凸部と、
前記係止レバーの途中に設けられた係止機構の一方と、
前記係止レバーの自由端側にそれぞれ設けられ前記係止時には前記乗越え固定凸部のケース内側側に配置保持され内器をケースからはずす場合には前記乗越え固定凸部を乗越えてケース外側側に接して配置保持され前記係止機構の係止を解除する乗越え移動凸部と
を具備したことを特徴とする内器着脱機構。
【請求項２】
前記係止機構は、前記係止レバーに設けられた四角孔と、
前記内器に設けられ前記四角孔に係止される凸部と
を具備したことを特徴とする請求項１記載の内器着脱機構。
【請求項３】
前記乗越え固定凸部と前記乗越え移動凸部とは断面三角形状をなし三角形の頂部側が互いに接すること
を特徴とする請求項１又は請求項２記載の内器着脱機構。
【発明の詳細な説明】
【技術分野】
【０００１】
本発明は、ケースと内器との間に設けられケースから内器を着脱する内器着脱機構に関するものである。
【背景技術】
【０００２】
内器着脱機構に関連する先行技術文献としては次のようなものがある。
【０００３】
【特許文献１】特開平０６−３２６４７７号公報
【特許文献２】特開２００３−２１８５５７号公報
【０００４】
図７は従来より一般に使用されている従来例の要部構成説明図である。
図において、ケース１にＤＩＮレール２の底面が取付けられている。
ケース１に四角形のモジュール３を取付けるには、モジュール３の側面に金属よりなる取り付け金具４を取り付けて、ケース１に矢印Ｘの方向に押し込み、取り付け金具４の先端に設けられた固定ロック５をＤＩＮレール２に係止して取り付ける。
【発明の開示】
【発明が解決しようとする課題】
【０００５】
このような装置においては、以下の間題点がある。
モジュール３をケース１から取り外すには、ケース１の裏側に回って、固定ロック５をＤＩＮレール２からはずす、あるいは、固定ロック５の箇所に何らかの方法でアクセスして固定ロック５をはずさなければならない。
【０００６】
要するに、ケース１からモジュール３をはずすには、困難性を有し、メンテナンス性に欠ける。
取り付け金具４を別に必要とし、部品点数が多くなり、金属部品を使う所から重量が重くなり、相対的に製品重量が増大し、コストが上昇する。
【０００７】
本発明の目的は、上記の課題を解決するもので、メンテナンス性が向上し、一体化された固定機構により部品点数を省略し、且つ軽量化が実現出来、安価な内器着脱機構を提供することにある。
【課題を解決するための手段】
【０００８】
このような課題を達成するために、本発明では、請求項１の内器着脱機構においては、
ケースと内器との間に設けられ、ケースに内器が係止される係止機構を具備する内器着脱機構において、ケースの両側面にそれぞれ一端が接続されケースの内器挿入開口側が自由端となる２個の係止レバーと、前記係止レバーの自由端側に対応して前記ケースの両側面にそれぞれ設けられた乗越え固定凸部と、前記係止レバーの途中に設けられた係止機構の一方と、前記係止レバーの自由端側にそれぞれ設けられ前記係止時には前記乗越え固定凸部のケース内側側に配置保持され内器をケースからはずす場合には前記乗越え固定凸部を乗越えてケース外側側に接して配置保持され前記係止機構の係止を解除する乗越え移動凸部とを具備したことを特徴とする。
【０００９】
本発明の請求項２の内器着脱機構においては、請求項１記載の内器着脱機構において、
前記係止機構は、前記係止レバーに設けられた四角孔と、前記内器に設けられ前記四角孔に係止される凸部とを具備したことを特徴とする。
【００１０】
本発明の請求項３の内器着脱機構においては、請求項１又は請求項２記載の内器着脱機構において、
前記乗越え固定凸部と前記乗越え移動凸部とは断面三角形状をなし三角形の頂部側が互いに接することを特徴とする。
【発明の効果】
【００１１】
本発明の請求項１によれば、次のような効果がある。
ケースに内器が係止機構により係止されていても、ケースの内器挿入開口側より係止レバーの自由端を操作して、係止レバーの自由端側に設けられた乗越え移動凸部を、ケースに設けられた乗越え固定凸部を乗越えて、ケース外側側に接して配置保持して、係止機構を解除することができるので、ケースへの内器の着脱が内器挿入開口側より容易に出来、内器の着脱操作性が向上された内器着脱機構が得られる。
【００１２】
本発明の請求項２によれば、次のような効果がある。
係止機構は、係止レバーに設けられた四角孔と、内器に設けられ四角孔に係止される凸部とが設けられたので、簡潔な構成であり安価な内器着脱機構が得られる。
【００１３】
本発明の請求項３によれば、次のような効果がある。
乗越え固定凸部と乗越え移動凸部とは、断面三角形状をなし、三角形の頂部側が互いに接するようにしたので、弾性変形が得やすい頂部の薄肉部において、乗越え固定凸部を乗越え移動凸部が乗越えるので、乗越え移動が円滑にでき、着脱操作が円滑にできる内器着脱機構が得られる。
【発明を実施するための最良の形態】
【００１４】
以下本発明を図面を用いて詳細に説明する。
図１は本発明の一実施例の要部構成説明図で、（ａ）は正面図、（ｂ）は平面図、図２は図１の斜視説明図である。
図３は図１の要部詳細説明図で、（ａ）は正面図、（ｂ）は（ａ）のＢ−Ｂ断面図、図４は図１の要部詳細説明図で、（ａ）は正面図、（ｂ）は（ａ）のＣ−Ｃ断面図、図５は図１の動作説明図、図６は図１の動作説明図、図７は図６の要部詳細説明図である。
図において、図８と同一記号の構成は同一機能を表す。
以下、図８との相違部分のみ説明する。
【００１５】
図１、図２において、１１はケース、１２は内器で、この場合は、内器１２は四角形状をなすモジュールが使用されている。
なお、ケース１１には、内器１２が４個、上下にそれぞれ挿入できるが、図においては、分り易くするために、内器１２がケース１の最上段に１個挿入される直前の状態を示す。
【００１６】
図３、図４は図１要部詳細説明図である。
係止レバー２１は、ケース１１の両側面にそれぞれ一端２１１が接続されケース１１の内器挿入開口１１１側が自由端２１２となる。
乗越え固定凸部２２は、自由端２１２側に対応して、ケース１の両側にそれぞれ設けられている。
【００１７】
係止機構の一方３１１は、係止レバー２１の途中に設けられている。
この場合は、係止機構３１は、係止レバー２１に設けられた四角孔３１１と、内器１２に設けられ、四角孔３１１に係止される凸部３１２とを有する。
【００１８】
乗越え移動凸部２３は、係止レバー２１の自由端２１２側にそれぞれ設けられ、係止時には乗越え固定凸部２２のケース１１の内側側に配置保持され、内器１２をケース１１からはずす場合には、乗越え固定凸部２２を乗越えて、ケース１１の外側側に接して配置保持され、係止機構３１の係止を解除する。
この場合は、乗越え固定凸部２２と乗越え移動凸部２３とは、断面三角形状をなし三角形の頂部側が互いに接している。
【００１９】
図３（ｂ）は、乗越え移動凸部２３が乗越え固定凸部２２を乗越える前を示し、図４（ｂ）は、乗越え移動凸部２３が乗越え固定凸部２２を乗越えた後を示す。
図４（ｂ）では、分かりやすいように、乗越え移動凸部２３の移動状態を少し大げさに示している。
【００２０】
図５は、乗越え移動凸部２３と乗越え固定凸部２２との関係を更に詳しく説明した斜視図である。
図５（ａ）は、係止時に、乗越え移動凸部２３が乗越え固定凸部２２のケース１１の内側側に配置保持された状態を示す。
図５（ｂ）は、乗越え移動凸部２３が移動して、乗越え固定凸部２２のケース１１の内側側に接した状態を示す。
【００２１】
図５（ｃ）は、乗越え移動凸部２３が移動して、乗越え固定凸部２２を乗越えようとする状態を示す。
図５（ｃ）は、乗越え移動凸部２３が移動して、乗越え固定凸部２２を乗越えて、乗越固定凸部２２のケース１１の外側側に接した状態を示す。
図６は、乗越え移動凸部２３が移動して、乗越え固定凸部２２を乗越えて、乗越固定凸部２２のケース１１の外側側に接して、係止レバー２１の自由端２１２側が、ケース１１の両側に開いて保持された状態を示す（矢印Ｙで示す。）。
係止機構３１の係止は解除されている状態にある。
図７は図６の要部拡大図である。
【００２２】
以上の構成において、
内器１２をケース１１に挿入する動作は以下の如くする。
係止レバー２１を動かして、図５（ａ）に示す如く、乗越え移動凸部２３が、乗越え固定凸部２２のケース１１の内側側に配置保持されるようにする。
ケース１１に内器１２を挿入する。
ケース１１の側面に設けられた凸部３１２が、係止レバー２１の四角孔３１１に係止され、内器１２はケース１１に保持される。
なお、凸部３１２と四角孔３１１により、所謂、スナップフィット機構が構成される。
【００２３】
内器１２をケース１１から取り出す動作は以下の如くする。
係止レバー２１を動かして、図５（ｂ）、（ｃ）、（ｄ）に示す如く、乗越え移動凸部２３が乗越え固定凸部２２を乗越えて、乗越え移動凸部２３が乗越え固定凸部２２のケース１１の外側側に接して配置保持されるようにする。
この係止レバー２１の動作により、ケース１１の側面に設けられた凸部３１２が、係止レバー２１の四角孔３１１からはずれ、係止機構３１の係止が解除され、内器１２はケース１１から取り出すことができる。
【００２４】
この結果、
ケース１１に内器１２が係止機構３１により係止されていても、ケース１１の内器挿入開口側１１１より係止レバー２１の自由端２１２を操作して、係止レバー２１の自由端２１２側に設けられた乗越え移動凸部２３を、ケース１１に設けられた乗越え固定凸部２２を乗越えて、ケース１１の外側側に接して配置保持して、係止機構３１を解除することができるので、ケース１１への内器１２の着脱が内器挿入開口１１１側より容易に出来、内器１２の着脱操作性が向上された内器着脱機構が得られる。
【００２５】
係止機構３１は、係止レバー２１に設けられた四角孔３１１と、内器１２に設けられ四角孔３１１に係止される凸部３１２とが設けられたので、簡潔な構成であり安価な内器着脱機構が得られる。
【００２６】
乗越え固定凸部２２と乗越え移動凸部２３とは、断面三角形状をなし、三角形の頂部側が互いに接するようにしたので、弾性変形が得やすい頂部の薄肉部において、乗越え固定凸部２２を乗越え移動凸部２３が乗越えるので、乗越え移動が円滑にでき、着脱操作が円滑にできる内器着脱機構が得られる。
【００２７】
なお、以上の説明は、本発明の説明および例示を目的として特定の好適な実施例を示したに過ぎない。
したがって本発明は、上記実施例に限定されることなく、その本質から逸脱しない範囲で更に多くの変更、変形をも含むものである。
【図面の簡単な説明】
【００２８】
【図１】本発明の一実施例の要部構成説明図である。
【図２】図１の斜視説明図である。
【図３】図１の要部詳細説明図である。
【図４】図１の要部詳細説明図である。
【図５】図１の動作説明図である。
【図６】図１の動作説明図である。
【図７】図６の要部詳細説明図である。
【図８】従来より一般に使用されている従来例の構成説明図である。
【符号の説明】
【００２９】
１      ケース
２      ＤＩＮレール
３      モジュール
４      取り付け金具
５      固定ロック
１１    ケース
１１１  内器挿入開口
１２    内器
２１    係止レバー
２１１  一端
２１２  自由端
２２    乗越え固定凸部
２３    乗越え移動凸部
３１    係止機構
３１１  四角孔
３１２  凸部
【図１】
2010073917.tif 000003
【図２】
2010073917.tif 000004
【図３】
2010073917.tif 000005
【図４】
2010073917.tif 000006
【図５】
2010073917.tif 000007
【図６】
2010073917.tif 000008
【図７】
2010073917.tif 000009
【図８】
2010073917.tif 000010